(57)【要約】【課題】有効に収納できる衣類の支持構造が設けられた洋式便器を提供する。【解決手段】便器本体１の前面２には、使用者が用便時に降ろすズボン等の衣類を支持するための引掛かり片３が備えられていて、この引掛かり片３は、便器本体１の前面２に設けられた収納凹部４に収納できるようになっていることを特徴としている。又、引掛かり片３は、便器本体１に設けられた軸部を軸にして回動させることで、収納凹部４に対し出し入れされるようになっており、収納した状態では、引掛かり片３の外表面と便器本体１の前面２とが略面一に連続するようになっている。【選択図】図１
2007197934.tif 000002
【特許請求の範囲】
【請求項１】
便器本体の前面には、使用者が用便時に降ろすズボン等の衣類を支持するための引掛かり片が備えられていて、この引掛かり片は、便器本体の前面に設けられた収納凹部に収納できるようになっていることを特徴とする洋式便器。
【請求項２】
引掛かり片を収納凹部に収納した状態で、引掛かり片の外表面と便器本体の前面とが略面一に連続することを特徴とする請求項１記載の洋式便器。
【請求項３】
引掛かり片は、便器本体に設けられた軸部を軸にして回動させることで、収納凹部に対し出し入れされるようになっていることを特徴とする請求項１又は２記載の洋式便器。
【発明の詳細な説明】
【技術分野】
【０００１】
本願発明は、使用者が用便時に降ろすズボン等の衣類を支持する構造が設けられた洋式便器に関するものである。
【背景技術】
【０００２】
従来から、特開平１０−５２３８３号公報（特許文献１）に示されるように、使用者が用便時に降ろすズボン等の衣類を支持する構造が設けられた洋式便器は知られている。この洋式便器は図３に示すように、便器本体７１の前面に回転ピン７２が設けられており、この回転ピン７２にズボン等の衣類を載せるための衣類受具７３が便器本体７１とは別体として取り付けられている。この衣類受け具７３は回転ピン７２を軸にして回動するものであり、用便後には水を貯めるボール部７４に収納することができる。
【特許文献１】特開平１０−５２３８３号公報
【発明の開示】
【発明が解決しようとする課題】
【０００３】
しかしながら、上記従来例である洋式便器にあっては、衣類受具７３をボール部７４に収納するため、ボール部７４に流した水が飛び散ることで衣類受具７３を汚すことがある。又、汚物を受けるボール部７４に衣類受具７３を収納することは、使用者に不快感を与えることになる。更に、衣類受具７３をボール部７４から取り出さないと便器を使用できないため、衣類受具７３を必要としない場合は無駄な作業を強いられることとなる。
【０００４】
又、衣類受具７３をボール部７４に収納せずに、便器本体７１の前方に設けたままにしておくことも可能であるが、この場合は、衣類受具７３に埃等が溜まりやすくなったり、衣類受具７３が邪魔になったりという問題が生じる。
【０００５】
本願発明は、上記背景技術に鑑みて発明されたものであり、その課題は、有効に収納できる衣類の支持構造が設けられた洋式便器を提供することである。
【課題を解決するための手段】
【０００６】
上記課題を解決するために、本願請求項１記載の発明では、便器本体の前面には、使用者が用便時に降ろすズボン等の衣類を支持するための引掛かり片が備えられていて、この引掛かり片は、便器本体の前面に設けられた収納凹部に収納できるようになっていることを特徴としている。
【０００７】
又、本願請求項２記載の発明では、上記請求項１記載の洋式便器において、引掛かり片を収納凹部に収納した状態で、引掛かり片の外表面と便器本体の前面とが略面一に連続することを特徴としている。
【０００８】
又、本願請求項３記載の発明では、上記請求項１又は２記載の洋式便器において、引掛かり片は、便器本体に設けられた軸部を軸にして回動させることで、収納凹部に対し出し入れされるようになっていることを特徴としている。
【発明の効果】
【０００９】
本願請求項１記載の発明の洋式便器においては、引掛かり片を備えることで、使用者が用便時に降ろすズボン等の衣類を支持できるため、衣類が床に触れて汚れることで不衛生になるのを防ぐことができる。
【００１０】
又、引掛かり片は便器本体の前面に設けられた収納凹部に収納できるため、埃が溜まったり、水が飛び散ったりして汚れることがなく、快適に利用することができる。更に、この洋式便器は引掛かり片を収納したままでも使用可能なため、引掛かり片を必要としない場合においても、特別な作業を強いられることなく使用することができる。
【００１１】
又、本願請求項２記載の発明の洋式便器においては、収納時において、引掛かり片の外表面と便器本体の前面とが略面一に連続するため、便器本体の外観を悪くすることなくコンパクトに引掛かり片を収納することができる。
【００１２】
又、本願請求項３記載の発明の洋式便器においては、便器本体に軸部を設けているため、引掛かり片は、軸部を軸にして回動させることで容易に収納凹部に対して出し入れすることができる。
【発明を実施するための最良の形態】
【００１３】
図１、２は、本願請求項１〜３に対応した一実施形態である洋式便器を示している。この洋式便器は、便器本体１の前面２に、使用者が用便時に降ろすズボン等の衣類を支持するための引掛かり片３が備えられていて、この引掛かり片３は、便器本体１の前面２に設けられた収納凹部４に収納できるようになっている。又、引掛かり片３は、便器本体１に設けられた軸部５を軸にして回動させることで、収納凹部４に対し出し入れされるようになっており、収納した状態では、引掛かり片３の外表面３３と便器本体１の前面２とが略面一に連続するようになっている。
【００１４】
以下、この実施形態の洋式便器を、より具体的詳細に説明する。図１、２に示された洋式便器は、水を溜めるボール部６が設けられた便器本体１に、便座、便蓋等が取り付けられた一般的な洋式便器である。便器本体１の前面２には、収納凹部４と、収納凹部４に収まる状態で軸部５とが設けられており、軸部５には引掛かり片３が取り付けられている。又、便器本体１はセラミックス、合成樹脂等の材料で形成されている。
【００１５】
引掛かり片３は、板部３１と、板部３１の内表面３４における上端付近に設けられた突起部３２とからなり、板部３１は便器本体１と同じ材料で形成されており、突起部３２は金属で形成されている。又、板部３１の側面には軸部５が貫通しており、軸部５を軸にして回動させることで、引掛かり片３を収納凹部４に対して出し入れできるようになっている。具体的には、収納時において、板部３１における軸部５より下側の外表面３３を押し込むことで引掛かり片３を突出させ、突出した状態で、板部３１における軸部５より上側の外表面３３を押し上げることで引掛かり片３を収納する。
【００１６】
収納凹部４は、断面から見て、引掛かり片３の上側部分が収まる長方形部分と、この長方形部分の底辺に接続して、引掛かり片３の下側部分が回動するスペースとなる扇形部分とが便器本体１の前面２から切り取られた形で設けられている。引掛かり片３が突出した状態において、板部３１の下方は、収納凹部４における扇形部分が切り取られて形成された下向き表面４２に接触しており、この下向き表面４２がストッパーとなることで引掛かり片３は保持されている。
【００１７】
又、収納凹部４の表面における上側部分は磁石４１で形成されており、収納時に、この磁石４１で形成された部分に突起部３２の先端がくっつくことで引掛かり片３は保持される。又、この収納時において、引掛かり片３は、板部３１の外表面３３と便器本体１の前面２とが略面一に連続した状態で保持されている。なお、ここでは突起部３２を磁石４１にくっつく鉄のような金属として形成し、収納凹部４側に磁石４１を設けているが、突起部３２を磁石４１として形成し、収納凹部４側に金属を設ける、或いは、両者とも磁石４１としてもよい。
【００１８】
したがって、この実施形態の洋式便器においては、引掛かり片３を備えることで、使用者が用便時に降ろすズボン等の衣類を支持できるため、衣類が床に触れて汚れることで不衛生になるのを防ぐことができる。又、引掛かり片３には突起部３２が設けられているため、ズボン等の衣類を突起部３２に引掛けることで安定して支持することができる。
【００１９】
又、引掛かり片３は便器本体１の前面２に設けられた収納凹部４に収納できるため、埃が溜まったり、水が飛び散ったりして汚れることがなく、快適に利用することができる。又、収納時において、引掛かり片３の外表面３３と便器本体１の前面２とが略面一に連続するため、便器本体１の外観を悪くすることなくコンパクトに引掛かり片３を収納することができる。更に、この洋式便器は引掛かり片３を収納したままでも使用可能なため、引掛かり片３を必要としない場合においても、特別な作業を強いられることなく使用することができる。
【００２０】
又、便器本体１に軸部５を設けているため、引掛かり片３は、軸部５を軸にして回動させることで容易に収納凹部４に対して出し入れすることができる。
【００２１】
又、突起部３２が磁石４１にくっつく金属で形成され、収納凹部４の表面における上側部分は磁石４１で形成されているため、収納時に磁石４１と突起部３２とをくっつけることで、容易に引掛かり片３を収納凹部４内に保持することができる。
【図面の簡単な説明】
【００２２】
【図１】本願発明の一実施形態である洋式便器を示す斜視図。
【図２】同様式便器における引掛かり片の回動状態を示す断面図。
【図３】従来例である洋式便器を示す断面図。
【符号の説明】
【００２３】
１  便器本体
２  前面
３  引掛かり片
31板部
32突起部
33外表面
34内表面
４  収納凹部
５  軸部
【図１】
2007197934.tif 000003
【図２】
2007197934.tif 000004
【図３】
2007197934.tif 000005